(57)【要約】【課題】  点滅表示によって警報を行う液晶表示を備えた車両用表示装置に関して、低温時であっても車両利用者に違和感を与えない車両用表示装置を提供する。【解決手段】  本発明の車両用表示装置は、車両の所定状態を表示する液晶表示パネル１と、液晶表示パネル１を透過照明する光源２と、液晶表示パネル１及び光源２を制御する制御手段３と、前記車両内に設けられ温度に応じた信号を制御手段３へ出力する温度検出手段４とを備えた車両用表示装置であって、制御手段３は、車両利用者に警報を報知するための点滅表示を行う際に、温度検出手段４からの信号に基づいて、所定温度以下であるか否かを判定し、前記所定温度以下である場合に光源２を点滅制御してなる。【選択図】  図１
2010175369.tif 000002
【特許請求の範囲】
【請求項１】
本発明の車両用表示装置は、
車両の所定状態を表示する液晶表示パネルと、
前記液晶表示パネルを透過照明する光源と、
前記液晶表示パネル及び前記光源を制御する制御手段と、
前記車両内に設けられ温度に応じた信号を前記制御手段へ出力する温度検出手段とを備えた車両用表示装置であって、
前記制御手段は、車両利用者に警報を報知するための点滅表示を行う際に、
前記温度検出手段からの信号に基づいて、所定温度以下であるか否かを判定し、前記所定温度以下である場合に前記光源を点滅制御してなることを特徴とする車両用表示装置。
【請求項２】
前記温度検出手段は、空気調和機用の車両室内温度を検出するものと兼用してなることを特徴とする請求項１に記載の車両用表示装置。
【請求項３】
前記液晶表示パネルは、予め定められた所定箇所に警報を表示するように制御するとともに、前記光源のうち前記所定箇所に対応する専用光源を備えてなることを特徴とする請求項１に記載の車両用表示装置。
【請求項４】
所定の警報音を発する鳴動手段を備え、
前記制御手段は、前記光源の点滅制御時に前記警報音を発するように前記鳴動手段を制御してなることを特徴とする請求項１に記載の車両用表示装置。
【発明の詳細な説明】
【技術分野】
【０００１】
本発明は、液晶表示パネルと、この液晶表示パネルを透過照明する光源と、前記液晶表示パネルと前記光源とを制御する制御回路と、を備えた車両用表示装置に関する。
【背景技術】
【０００２】
従来、液晶表示パネルなどを用いた車両用表示装置において、例えば、特許文献１に開示されている。この車両用表示装置は、車両の所定状態示す各種情報を表示する液晶表示パネルと、この液晶パネルを制御する制御手段とを備えている。
【先行技術文献】
【特許文献】
【０００３】
【特許文献１】特開２００４−２７６７９１号公報
【発明の概要】
【発明が解決しようとする課題】
【０００４】
しかしながら、このような車両用表示装置は、例えば、摂氏マイナス２０度以下など低温の環境下でも仕様される場合を想定した場合、液晶表示パネルの温度特性上、表示応答性が遅くなってしまい問題があった。例えば、車両用表示装置の警報表示において、より注意を喚起するために点滅表示させることがあるが、車両が暖機される前、特に車両用表示装置の液晶表示パネルが低温時である場合には、この液晶表示パネルの表示応答性が遅いために、点灯でも消灯でもない中間的な違和感のある表示を行ってしまうなど、所望の表示を車両利用者に提供できない虞があった。
【０００５】
そこで本発明の目的は、前述の問題点に着目し、点滅表示によって警報を行う液晶表示パネルを備えた車両用表示装置に関して、低温時であっても車両利用者に違和感を与えない車両用表示装置を提供することにある。
【課題を解決するための手段】
【０００６】
本発明の車両用表示装置は、車両の所定状態を表示する液晶表示パネルと、前記液晶表示パネルを透過照明する光源と、前記液晶表示パネル及び前記光源を制御する制御手段と、前記車両内に設けられ温度に応じた信号を前記制御手段へ出力する温度検出手段とを備えた車両用表示装置であって、前記制御手段は、車両利用者に警報を報知するための点滅表示を行う際に、前記温度検出手段からの信号に基づいて、所定温度以下であるか否かを判定し、前記所定温度以下である場合に前記光源を点滅制御してなることを特徴とする。
【０００７】
また、前記温度検出手段は、空気調和機用の車両室内温度を検出するものと兼用してなることを特徴とする。
【０００８】
また、前記液晶表示パネルは、予め定められた所定箇所に警報を表示するように制御するとともに、前記光源のうち前記所定箇所に対応する専用光源を備えてなることを特徴とする。
【０００９】
また、所定の警報音を発する鳴動手段を備え、前記制御手段は、前記光源の点滅制御時に前記警報音を発するように前記鳴動手段を制御してなることを特徴とする。
【発明の効果】
【００１０】
本発明の車両用表示装置は、点滅表示によって警報を行う液晶表示パネルを備えた車両用表示装置に関して、低温時であっても車両利用者に違和感を与えない車両用表示装置を提供できる。
【図面の簡単な説明】
【００１１】
【図１】本発明の実施の形態の構成を示すブロック図。
【図２】上述実施の形態の制御手段の処理手順を示すフロー図。
【発明を実施するための形態】
【００１２】
以下、本発明の実施の形態として車両用計器に適用したものを例に挙げて添付図面を用いて説明する。
【００１３】
図１は、車両用計器の電気的な構成を示す図であり、液晶表示パネル１と、光源２と、制御手段３と、温度検出手段４と、鳴動手段５とを備えている。
【００１４】
液晶表示パネル１は、図示しない駆動ドライバや配線を介して制御手段３と接続され、制御手段３からの制御信号に基づいて所望の表示像を形成するものである。この場合、液晶表示パネル１は、警報表示用の所定箇所（所定表示エリア）を用意しており、前記制御信号に基づいて文章やマークなどの警報内容を示す表示を前記所定箇所に表示することができる。また、液晶表示パネル１は、警報の他に積算走行距離や燃費情報、車外温度などの車両の所定状態を表示するための情報表示箇所を用意している。
【００１５】
光源２は、液晶表示パネル１を透過照明するバックライトであり、例えば、複数の発光ダイオードを適用できる。光源２は、制御手段３に配線を介して接続され、制御手段３の制御信号に基づいて、点灯／消灯が切り換えられる。また、この場合、光源２は、液晶表示パネル１の警報表示用の前記所定箇所を透過照明するために専用の所定箇所用光源（専用光源）２１と他の光源２２とが設けられる。なお、他の光源２２は、液晶表示パネル１の前記情報表示箇所を透過照明するように設けられる。
【００１６】
制御手段３は、マイクロコンピュータを適用でき、図示しない通信ケーブルを介して他の機器からの各種情報や温度検出手段からの信号を入力できるように構成され、前記各種情報や前記信号、所定のプログラムなどに基づいて、液晶表示パネル１や光源２、鳴動手段５を制御するための制御信号を生成し、出力できるように接続される。なお、制御手段３は、光源２について、所定箇所用光源２１と、その他の光源２２とを各々制御できるように接続されている。
【００１７】
温度検出手段４は、車両用計器内の使用環境に応じて変化する温度を検出し、電気的な信号として制御手段３へ出力するものである。この場合、温度検出手段４は、車両室内において自動温度調整するために車載される空気調和機用の車両室内温度センサを兼用してなる。なお、温度検出手段４は、車両室内温度センサではなく、車両用計器の筐体内で、例えば、液晶表示パネル１上に実装されるものであってもよい。
【００１８】
鳴動手段５は、制御手段３からの制御信号に基づいて鳴動するスピーカを適用できる。この場合、鳴動手段５によって、制御手段３からの制御によって警報音を発するだけでなく、警報内容や解決方法などを音声にて車両利用者に報知できるように設けられる。なお、鳴動手段５は、所定の音パターンを発するブザーを代替することもできる。また、制御手段５と車載される音響機器の制御部とを接続し、音響用スピーカを鳴動手段として兼用することもできる。
【００１９】
次に警報を行うための制御手段３の処理手順に関して図２を用いて説明する。
【００２０】
制御手段３は、前記通信ケーブルを介して入力される各種情報に基づいて、例えば、センサーや機器が正常な信号を発していない場合や、車両機器から異常信号が発せられた場合、運転や周囲環境において注意するべき情報がある場合など、警報を発するべきであるか否かを判定する警報判定処理（ステップＳ１）を行う。
【００２１】
制御手段３は、この警報判定判定によって車両が警報を発するべきと判定した場合には、温度検出手段４からの信号に基づいて、所定温度（例えば、摂氏マイナス２０度）以下であるか否かを判定する温度判定処理（ステップＳ２）を行う。この場合、制御手段３は、液晶表示パネル１の温度と所定温度を比較しており、予め液晶表示パネル１の温度を車両室内温度センサ（温度検出手段４）からの信号の変化から推定する演算処理を行うものである。
【００２２】
制御手段３は、この温度判定処理によって所定温度以下であり、低温状態であると判定した場合には、液晶表示パネル１の応答性が遅い状態であるとして、液晶表示パネル１に、警報を示す所望の表示像を形成させるとともに、この表示像の透過光が点滅して見えるように所定箇所用光源２１が所定間隔で点滅するように制御信号を出力する低温時警報処理（ステップＳ３）を行う。
【００２３】
また、制御手段３は、温度判定処理によって所定温度よりも高いと判定した場合には、液晶表示パネル１の応答性が良好であるとして、所定箇所用光源２１を一定輝度で照明させるとともに、液晶表示パネル１の前記所定箇所における表示像の切り換えによって、警報を点滅して表現するように液晶表示パネルを制御する通常時警報処理（ステップＳ４）を行う。
【００２４】
また、制御手段３は、上述した液晶表示パネル１や光源２の制御による警報表示がなされている場合には、車両利用者の聴覚にて注意を喚起するための警報音や音声を発するように鳴動手段５を制御する鳴動処理（ステップＳ５）を行う。
【００２５】
上述した処理を繰り返すことによって、低温時においても、車両の異常や注意状態が発生した場合に、車両利用者に注意を促すことが可能となる。
【００２６】
斯かる車両用表示装置は、本発明の車両用表示装置は、車両の所定状態を表示する液晶表示パネル１と、液晶表示パネル１を透過照明する光源２と、液晶表示パネル１及び光源２を制御する制御手段３と、前記車両内に設けられ温度に応じた信号を制御手段３へ出力する温度検出手段４とを備えた車両用表示装置であって、制御手段３は、車両利用者に警報を報知するための点滅表示を行う際に、温度検出手段４からの信号に基づいて、所定温度以下であるか否かを判定し、前記所定温度以下である場合に光源２を点滅制御してなる。
【００２７】
したがって、点滅表示によって警報を行う液晶表示パネル１を備えた車両用表示装置に関して、低温時であっても車両利用者に違和感を与えずに注意を喚起することが可能な車両用表示装置となる。
【００２８】
また、液晶表示パネル１は、予め定められた所定箇所に警報を表示するように制御するとともに、光源１のうち前記所定箇所に対応する所定箇所用光源２１を備えてなることによって、低温時においても、車両利用者に点滅して警報表示する箇所を特定、または推測させることができ、車両情報をより的確に伝えることができる。
【００２９】
また、所定の警報音を発する鳴動手段５を備え、制御手段３は、前記光源の点滅制御時に前記警報音を発するように鳴動手段５を制御してなることによって、低温時においても、視覚及び聴覚にて車両利用者へ警報を報知することができる。
【００３０】
なお、本発明の車両用表示装置を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。
【産業上の利用可能性】
【００３１】
本発明は、液晶表示パネルと、この液晶表示パネルを透過照明する光源と、前記液晶表示パネルと前記光源とを制御する制御回路と、を備えた車両用表示装置に関するもので、例えば、自動車、オートバイ、船舶、作業車両などの移動体に搭載される表示装置として利用できる。
【符号の説明】
【００３２】
１  液晶表示パネル
２  光源
３  制御手段
４  温度検出手段
【図１】
2010175369.tif 000003
【図２】
2010175369.tif 000004